(57)【特許請求の範囲】
【請求項１】
表示面に画像が表示されるディスプレイと、
前記ディスプレイにおける表示面の反対の面側に配置されるバックシャーシと、
前記バックシャーシの前記ディスプレイ側と反対の面側に配置されるリアカバーとを備
え、
前記バックシャーシには厚み方向において貫通された抜き孔が形成され、
前記バックシャーシには厚み方向において打ち出された第２の補強部が設けられ、
前記バックシャーシには厚み方向において前記第２の補強部と反対の方向に打ち出された第３の補強部が設けられ、
前記第２の補強部が設けられた領域に前記抜き孔と前記第３の補強部とが形成された
表示装置。
【請求項２】
前記リアカバーの前記バックシャーシ側と反対の面側に配置ケースが取り付けられ、
前記配置ケースに回路基板が収納された
請求項１に記載の表示装置。
【請求項３】
前記配置ケースにスピーカーユニットが収納された
請求項２に記載の表示装置。
【請求項４】
前記配置ケースが前記リアカバーの下端部に取り付けられた
請求項２又は請求項３に記載の表示装置。
【請求項５】
前記ディスプレイの外周部と前記バックシャーシの外周部にフレームが取り付けられ、
前記フレームに、前記ディスプレイの外周部を押さえる第１の押さえ面部と、前記バックシャーシの外周部を押さえ前記第１の押さえ面部に対向する第２の押さえ面部と、前記第１の押さえ面部と前記第２の押さえ面部とを連結し前記ディスプレイの外周面と前記バックシャーシの外周面とに対向する連結面部とが設けられた
請求項１乃至請求項４の何れかに記載の表示装置。
【請求項６】
前記フレームに前記リアカバーの外周部を保持する保持面部が設けられた
請求項５に記載の表示装置。
【請求項７】
前記ディスプレイと前記バックシャーシと前記リアカバーとを有する装置本体が設けられ、
受け部を有し前記装置本体に取り付けられて前記装置本体を支えるスタンドが設けられ、
前記スタンドが前記装置本体に取り付けられた状態において前記受け部が前記ディスプレイと前記バックシャーシの真下に位置されて前記ディスプレイと前記バックシャーシの荷重が前記受け部で受けられるようにした
請求項１乃至請求項６の何れかに記載の表示装置。
【請求項８】
前記ディスプレイと前記バックシャーシと前記リアカバーとを有する装置本体が設けられ、
前記装置本体に取り付けられて前記装置本体を支えるスタンドが設けられ、
前記スタンドが前記装置本体の下端部に取り付けられて前記装置本体を起立させる機能を有すると共に前記スタンドが前記装置本体の背面に取り付けられて前記装置本体を壁面に沿って設置する機能を有するようにした
請求項１乃至請求項６の何れかに記載の表示装置。
【発明の詳細な説明】
【技術分野】
【０００１】
本技術は、表示装置についての技術分野に関する。詳しくは、バックシャーシに厚み方向において貫通された抜き孔を形成すると共に補強部を設けて軽量化及び高剛性化を図る技術分野に関する。
【背景技術】
【０００２】
テレビジョン受像器やパーソナルコンピューター等の表示装置には、画像が表示される表示面を有するディスプレイが設けられ、ディスプレイの背面側にバックシャーシが配置され、バックシャーシの背面にリアカバーが取り付けられたものがある（例えば、特許文献１参照）。
【０００３】
このような表示装置にあっては、近年、薄型化の要求が高く、バックシャーシやリアカバーの厚みを薄くして薄型化を図ることが行われている。
【０００４】
【特許文献１】特開２０１０−２４３６２２号公報
【発明の開示】
【発明が解決しようとする課題】
【０００５】
ところが、バックシャーシやリアカバーの厚みを薄くすることにより薄型化が図られ軽量化を図ることが可能であるが、薄型化することにより剛性が低下して机上等への安定した設置状態を確保することができなくなるおそれがある。
【０００６】
そこで、本技術表示装置は、上記した課題を解決し、軽量化及び高剛性化を図ることを課題とする。
【課題を解決するための手段】
【０００７】
第１に、表示装置は、上記した課題を解決するために、表示面に画像が表示されるディ
スプレイと、前記ディスプレイにおける表示面の反対の面側に配置されるバックシャーシ
と、前記バックシャーシの前記ディスプレイ側と反対の面側に配置されるリアカバーとを
備え、前記バックシャーシには厚み方向において貫通された抜き孔が形成され、前記バックシャーシには厚み方向において打ち出された第２の補強部が設けられ、前記バックシャーシには厚み方向において前記第２の補強部と反対の方向に打ち出された第３の補強部が設けられ、前記第２の補強部が設けられた領域に前記抜き孔と前記第３の補強部とが形成されたものである。
【０００８】
従って、表示装置にあっては、抜き孔によってバックシャーシが軽量になると共に補強部によってバックシャーシの剛性が高くなる。
【０００９】
第２に、上記した表示装置においては、前記リアカバーの前記バックシャーシ側と反対の面側に配置ケースが取り付けられ、前記配置ケースに回路基板が収納されることが望ましい。
【００１０】
リアカバーのバックシャーシ側と反対の面側に配置ケースが取り付けられ、配置ケースに回路基板が収納されることにより、表示装置において配置ケースが取り付けられた部分にのみ回路基板が配置される。
【００１１】
第３に、上記した表示装置においては、前記配置ケースにスピーカーユニットが収納されることが望ましい。
【００１２】
配置ケースにスピーカーユニットが収納されることにより、表示装置において配置ケースが取り付けられた部分にのみスピーカーユニットが配置される。
【００１３】
第４に、上記した表示装置においては、前記配置ケースが前記リアカバーの下端部に取り付けられることが望ましい。
【００１４】
配置ケースがリアカバーの下端部に取り付けられることにより、表示装置の全体の重心が下方側に位置される。
【００１５】
第５に、上記した表示装置においては、前記ディスプレイの外周部と前記バックシャーシの外周部にフレームが取り付けられ、前記フレームに、前記ディスプレイの外周部を押さえる第１の押さえ面部と、前記バックシャーシの外周部を押さえ前記第１の押さえ面部に対向する第２の押さえ面部と、前記第１の押さえ面部と前記第２の押さえ面部とを連結し前記ディスプレイの外周面と前記バックシャーシの外周面とに対向する連結面部とが設けられることが望ましい。
【００１６】
フレームに、ディスプレイの外周部を押さえる第１の押さえ面部と、バックシャーシの外周部を押さえ第１の押さえ面部に対向する第２の押さえ面部と、第１の押さえ面部と第２の押さえ面部とを連結しディスプレイの外周面とバックシャーシの外周面とに対向する連結面部とが設けられることにより、表示装置の外周部の強度が高まる。
【００１７】
第６に、上記した表示装置においては、前記フレームに前記リアカバーの外周部を保持する保持面部が設けられることが望ましい。
【００１８】
フレームにリアカバーの外周部を保持する保持面部が設けられることにより、リアカバーを薄く形成してもリアカバーの撓みが防止される。
【００２３】
第７に、上記した表示装置においては、前記ディスプレイと前記バックシャーシと前記リアカバーとを有する装置本体が設けられ、受け部を有し前記装置本体に取り付けられて前記装置本体を支えるスタンドが設けられ、前記スタンドが前記装置本体に取り付けられた状態において前記受け部が前記ディスプレイと前記バックシャーシの真下に位置されて前記ディスプレイと前記バックシャーシの荷重が前記受け部で受けられるようにすることが望ましい。
【００２４】
スタンドが装置本体に取り付けられた状態において受け部がディスプレイとバックシャーシの真下に位置されてディスプレイとバックシャーシの荷重が受け部で受けられるようにすることにより、表示装置が安定した状態で机上等の載置面に載置される。
【００２５】
第８に、上記した表示装置においては、前記ディスプレイと前記バックシャーシと前記リアカバーとを有する装置本体が設けられ、前記装置本体に取り付けられて前記装置本体を支えるスタンドが設けられ、前記スタンドが前記装置本体の下端部に取り付けられて前記装置本体を起立させる機能を有すると共に前記スタンドが前記装置本体の背面に取り付けられて前記装置本体を壁面に沿って設置する機能を有するようにすることが望ましい。
【００２６】
スタンドが装置本体の下端部に取り付けられて装置本体を起立させる機能を有すると共にスタンドが装置本体の背面に取り付けられて装置本体を壁面に沿って設置する機能を有するようにすることにより、スタンドの装置本体に対する取付位置が変更されることにより、装置本体が異なる状態に設置される。
【発明の効果】
【００２７】
本技術表示装置は、表示面に画像が表示されるディスプレイと、前記ディスプレイにおける表示面の反対の面側に配置されるバックシャーシと、前記バックシャーシの前記ディスプレイ側と反対の面側に配置されるリアカバーとを備え、前記バックシャーシに厚み方向において貫通された抜き孔が形成され、前記バックシャーシに補強部が設けられている。
【００２８】
従って、バックシャーシに設けられた補強部によって高い剛性を確保することができ、また、バックシャーシの抜き孔によって軽量化が図られるため、軽量化及び高剛性化を図ることができる。
【００２９】
請求項２に記載した技術にあっては、前記リアカバーの前記バックシャーシ側と反対の面側に配置ケースが取り付けられ、前記配置ケースに回路基板が収納されている。
【００３０】
従って、配置ケースが取り付けられていない部分の薄型化を図ることができる。
【００３１】
請求項３に記載した技術にあっては、前記配置ケースにスピーカーユニットが収納されている。
【００３２】
従って、配置ケースが取り付けられていない部分の薄型化を図ることができる。
【００３３】
請求項４に記載した技術にあっては、前記配置ケースが前記リアカバーの下端部に取り付けられている。
【００３４】
従って、表示装置の全体の重心が下方側に位置され、表示装置の安定した設置状態が確保され、振動等の外乱による表示装置の転倒を防止することができる。  請求項５に記載した技術にあっては、前記ディスプレイの外周部と前記バックシャーシの外周部にフレームが取り付けられ、前記フレームに、前記ディスプレイの外周部を押さえる第１の押さえ面部と、前記バックシャーシの外周部を押さえ前記第１の押さえ面部に対向する第２の押さえ面部と、前記第１の押さえ面部と前記第２の押さえ面部とを連結し前記ディスプレイの外周面と前記バックシャーシの外周面とに対向する連結面部とが設けられている。
【００３５】
従って、フレームによって表示装置の外周部の強度が高まり、表示装置の剛性の向上を図ることができる。
【００３６】
請求項６に記載した技術にあっては、前記フレームに前記リアカバーの外周部を保持する保持面部が設けられている。
【００３７】
従って、リアカバーを薄く形成してもリアカバーの撓みが防止されるため、リアカバーの撓みを防止した上で表示装置の薄型化を図ることができる。
【００３８】
請求項７に記載した技術にあっては、前記補強部が絞り加工によって形成されている。
【００３９】
従って、バックシャーシの簡素な構成を保持した状態で薄型化と高い剛性を確保することができる。
【００４０】
請求項８に記載した技術にあっては、前記リアカバーが真空成形によって形成されている。
【００４１】
従って、リアカバーを薄く形成することが可能であり、表示装置の薄型化を図ることができる。
【００４２】
請求項９に記載した技術にあっては、前記ディスプレイと前記バックシャーシと前記リアカバーとを有する装置本体が設けられ、受け部を有し前記装置本体に取り付けられて前記装置本体を支えるスタンドが設けられ、前記スタンドが前記装置本体に取り付けられた状態において前記受け部が前記ディスプレイと前記バックシャーシの真下に位置されて前記ディスプレイと前記バックシャーシの荷重が前記受部で受けられるようにしている。
【００４３】
従って、表示装置を安定した状態で机上等の載置面に載置することが可能であり、表示装置の安定した設置状態を確保することができる。
【００４４】
請求項１０に記載した技術にあっては、前記ディスプレイと前記バックシャーシと前記リアカバーとを有する装置本体が設けられ、前記装置本体に取り付けられて前記装置本体を支えるスタンドが設けられ、前記スタンドが前記装置本体の下端部に取り付けられて前記装置本体を起立させる機能を有すると共に前記スタンドが前記装置本体の背面に取り付けられて前記装置本体を壁面に沿って設置する機能を有するようにしている。
【００４５】
従って、スタンドの装置本体に対する取付位置を変更することにより、装置本体を所望の状態に設置することが可能になり、使い勝手の向上を図ることができる。
【発明を実施するための最良の形態】
【００４６】
以下に、本技術表示装置を実施するための最良の形態を添付図面に従って説明する。
【００４７】
以下に示した最良の形態は、本技術表示装置を、ディスプレイとして機能する液晶パネルに画像を表示するテレビジョン受像器に適用したものである。
【００４８】
尚、本技術の適用範囲はディスプレイとして液晶パネルが用いられたテレビジョン受像器に限られることはなく、ディスプレイの種類を問わず他の各種のテレビジョン受像器やパーソナルコンピューター等に用いられるモニター等の各種の表示装置に広く適用することができる。
【００４９】
［表示装置の構成］
表示装置（テレビジョン受像器）１は、例えば、横長の扁平な略矩形状に形成された装置本体２を備え、装置本体２がバックシャーシ３とディスプレイ４とリアカバー５を有している（図１乃至図４参照）。
【００５０】
バックシャーシ３は、例えば、鉄材料によって前後方向を向く横長の矩形の略平板状に形成され、例えば、厚みが０．５ｍｍにされている。鉄材料は比較的他の金属材料よりも安価であり、バックシャーシ３を鉄材料によって形成することにより、製造コストの低減を図ることができる。
【００５１】
バックシャーシ３の下端部以外の外周部は、その内側の部分より前方へ打ち出された第１の補強部６として設けられている（図５及び図６参照）。
【００５２】
バックシャーシ３には左右方向における中央部と左右両側の位置にそれぞれ前方へ打ち出された縦長の略矩形状の第２の補強部７、８、９、９が設けられている。第２の補強部７、８はバックシャーシ３の中央部において上下に離隔して設けられ、第２の補強部９、９はそれぞれ第２の補強部７、８の左右に設けられている。
【００５３】
バックシャーシ３には第２の補強部７、９、９が設けられた領域にそれぞれ前後に貫通された複数の抜き孔３ａ、３ａ、・・・が形成されている。抜き孔３ａ、３ａ、・・・は、例えば、等間隔に位置されている。
【００５４】
バックシャーシ３にはそれぞれ第２の補強部７、９、９が設けられた領域に後方へ打ち出された第３の補強部１０、１１、１１が設けられている。第３の補強部１０、１１、１１は上下に延びる部分と左右に延びる部分とが交差するようにして形成され、抜き孔３ａ、３ａ、・・・間又は抜き孔３ａ、３ａ、・・・の下側に位置されている。
【００５５】
第１の補強部６、第２の補強部７、８、９、９及び第３の補強部１０、１１、１１は何れも、例えば、絞り加工によって形成されている。
【００５６】
このように第１の補強部６、第２の補強部７、８、９、９及び第３の補強部１０、１１、１１が絞り加工によって形成されることにより、バックシャーシ３の簡素な構成を保持した状態で薄型化と高い剛性を確保することができる。
【００５７】
ディスプレイ４は、例えば、液晶ディスプレイであり、バックシャーシ３と略同じ大きさの横長の矩形状に形成されている（図３及び図４参照）。ディスプレイ４は前面が表示面４ａとされ、前後に配置された一対の透明板や偏光フィルム等を有している。
【００５８】
ディスプレイ４はバックシャーシ３の前側に配置され、ディスプレイ４には図示しない透明電極、液晶、配光膜、カラーフィルター等の画像を表示するための各種の要素が配置されている。
【００５９】
リアカバー５はバックシャーシ３と略同じ大きさの横長の矩形状に形成され（図７及び図８参照）、リアカバー５は、例えば、真空成形によって厚さが１ｍｍ程度に形成されている。
【００６０】
このようにリアカバー５が真空成形によって形成されることにより、リアカバー５を薄く形成することが可能であり、表示装置１の薄型化を図ることができる。
【００６１】
リアカバー５は、例えば、ポリスチレン(ＰＳ：Polystyrene）、ポリスチレンとポリフェニレンエーテル（ＰＰＥ：Polyphenyleneether）の混合材料、ポリカーボネート (Polycarbonate)／アクリロニトリル・ブタジエン・スチレン（ＡＢＳ：Acrylonitrile Butadiene Styrene）共重合体等によって形成されている。
【００６２】
リアカバー５の下端側の部分は他の部分より後方へ打ち出された打出部５ａとして設けられている。
【００６３】
リアカバー５の下端部を除く外周部には周方向に離隔して第１のネジ挿通孔５ｂ、５ｂ、・・・が形成されている。第１のネジ挿通孔５ｂ、５ｂ、・・・はリアカバー５の中央部に向かって延びる長穴状に形成されている（図９参照）。
【００６４】
リアカバー５の中央側の部分には円形状の第２のネジ挿通孔５ｃ、５ｃ、・・・が形成されている。
【００６５】
リアカバー５の下端部には下方に開口された挿入用切欠５ｄ、５ｄ、・・・が左右に離隔して形成されている。
【００６６】
リアカバー５はバックシャーシ３の背面に接した状態で配置され、リアカバー５がバックシャーシ３の背面に接した状態で配置されることにより、リアカバー５によってバックシャーシ３に形成された抜き孔３ａ、３ａ、・・・からの光の漏れが防止される。
【００６７】
バックシャーシ３とディスプレイ４の外周部にはフレーム１２が取り付けられる（図１乃至図４参照）。
【００６８】
フレーム１２は、例えば、左右方向に延びる上枠部１３と上下方向に延びる側枠部１４、１４と左右方向に延びる下枠部１５とが枠状に結合されて構成されている（図１０乃至図１２参照）。上枠部１３と側枠部１４、１４と下枠部１５は、例えば、アルミニウムによって形成されている。
【００６９】
上枠部１３は、図１３に示すように、上下方向を向く連結面部１３ａと、連結面部１３ａの前縁から下方へ突出された第１の押さえ面部１３ｂと、連結面部１３ａの後縁から下方へ突出された第２の押さえ面部１３ｃと、連結面部１３ａの後縁から斜め下方へ突出された保持面部１３ｄとが一体に形成されて成る。
【００７０】
側枠部１４は、左右方向を向く連結面部１４ａと、連結面部１４ａの前縁から側方（内方）へ突出された第１の押さえ面部１４ｂと、連結面部１４ａの後縁から側方（内方）へ突出された第２の押さえ面部１４ｃと、連結面部１４ａの後縁から斜め側方へ突出された保持面部１４ｄとが一体に形成されて成る。
【００７１】
下枠部１５は、図１４に示すように、上下方向を向く連結面部１５ａと、連結面部１５ａの前縁から上方へ突出された第１の押さえ面部１５ｂと、連結面部１５ａの前後方向における中間部から上方へ突出された第２の押さえ面部１５ｃと、連結面部１５ａの後縁から上方へ突出された結合面部１５ｄとが一体に形成されて成る。
【００７２】
下枠部１５の結合面部１５ｄには左右に延びる係合孔１５ｅ、１５ｅ、・・・が左右に離隔して形成されている。
【００７３】
バックシャーシ３とディスプレイ４の外周部は、上枠部１３の第１の押さえ面部１３ｂと第２の押さえ面部１３ｃの間、側枠部１４、１４の第１の押さえ面部１４ｂ、１４ｂと第２の押さえ面部１４ｃ、１４ｃの間及び下枠部１５の第１の押さえ面部１５ｂと第２の押さえ面部１５ｃの間に挿入されてフレーム１２に保持される（図１２参照）。
【００７４】
上記のように、連結面部１３ａ、１４ａ、１４ａ、１５ａと第１の押さえ面部１３ｂ、１４ｂ、１４ｂ、１５ｂと第２の押さえ面部１３ｃ、１４ｃ、１４ｃ、１５ｃとによって断面形状がコ字状に形成されたフレーム１２によってバックシャーシ３の外周部とディスプレイ４の外周部とが保持されている。
【００７５】
従って、フレーム１２によって表示装置１の外周部の強度が高まり、表示装置１の剛性の向上を図ることができる。
【００７６】
バックシャーシ３とディスプレイ４がフレーム１２に保持された状態において、上枠部１３の第２の押さえ面部１３ｃ、１３ｃの左右両端部と側枠部１４、１４の第２の押さえ面部１４ｃ、１４ｃの上端部とがそれぞれ、例えば、Ｌ字状の結合板１６、１６を介してネジ止め等によって結合される（図１５参照）。また、側枠部１４、１４の第２の押さえ面部１４ｃ、１４ｃの下端部と下枠部１５、１５の第２の押さえ面部１５ｃ、１５ｃの左右両端部とがそれぞれ、例えば、ネジ止め等によって結合される（図１６参照）。
【００７７】
バックシャーシ３とディスプレイ４がフレーム１２に保持された状態においては、バックシャーシ３の下端部と下枠部１５、１５の結合面部１５ｄとが補強板１７、１７を介して、例えば、ネジ止め等によって結合される。
【００７８】
補強板１７、１７は左右に延びる形状に形成され、左右に離隔して配置されている。
【００７９】
リアカバー５は外周部のうち、上端部が上枠部１３の第２の押さえ面部１３ｃと保持面部１３ｄの間に挿入されて保持され、左右両端部がそれぞれ側枠部１４、１４の第２の押さえ面部１４ｃ、１４ｃと保持面部１４ｄ、１４ｄの間に挿入されて保持される（図１７参照）。
【００８０】
このようにフレーム１２における上枠部１３と側枠部１４、１４にそれぞれリアカバー５の外周部を押さえる保持面部１３ｄ、１４ｄ、１４ｄが設けられることにより、リアカバー５を薄く形成してもリアカバー５の撓みが防止されるため、リアカバー５の撓みを防止した上で表示装置１の薄型化を図ることができる。
【００８１】
尚、リアカバー５が真空成形によって形成されるときには、外形状を形成するためにプレス加工によって切断を行うためリアカバー５の外周面が破断面として形成される。
【００８２】
しかしながら、上記のように、リアカバー５の外周部が第２の押さえ面部１３ｃ、１４ｃ、１４ｃと保持面部１３ｄ、１４ｄ、１４ｄの間に挿入されることにより、リアカバー５の外周部が上枠部１３と側枠部１４、１４によって閉塞され、リアカバー５の破断面を隠蔽することができる。
【００８３】
リアカバー５の下端部を除く外周部に形成された第１のネジ挿通孔５ｂ、５ｂ、・・・と中央側の部分に形成された第２のネジ挿通孔５ｃ、５ｃ、・・・にはそれぞれ段付ネジ１００、１００、・・・が挿通されてバックシャーシ３又はフレーム１２に螺合され、リアカバー５がバックシャーシ３に押し付けられる（図１８参照）。
【００８４】
このとき第１のネジ挿通孔５ｂには段付ネジ１００の頭部１０１と螺軸部１０２の間に設けられた段部１０３が挿入される。上記したように、第１のネジ挿通孔５ｂ、５ｂ、・・・はリアカバー５の中央部に向かって延びる長穴状に形成されており、リアカバー５に成形後の僅かな伸縮が生じても段付ネジ１００に対してリアカバー５が変位（移動）される。従って、リアカバー５に歪みや変形が生じることなく良好な状態でリアカバー５がバックシャーシ３に押し付けられる。
【００８５】
また、第２のネジ挿通孔５ｃにも段付ネジ１００の段部１０３が挿入される。第２のネジ挿通孔５ｃの大きさは段部１０３より大きくされており、リアカバー５に成形後の僅かな伸縮が生じても段付ネジ１００に対してリアカバー５が変位（移動）される。従って、リアカバー５に歪みや変形が生じることなく良好な状態でリアカバー５がバックシャーシ３に押し付けられる。
【００８６】
リアカバー５の下端部における背面側には配置ケース１８が取り付けられる。配置ケース１８は樹脂材料によって形成され、基板配置部１９と基板配置部１９の下半部からそれぞれ側方へ突出されて設けられたスピーカー配置部２０、２０とから成る（図１９及び図２０参照）。
【００８７】
基板配置部１９には図示しない複数の回路基板やこれらの回路基板が取り付けられる取付部材２１、２１、・・・等が収納されて配置されている。
【００８８】
回路基板としては、例えば、バックライトとして機能する光源（発光ダイオード）を駆動する光源駆動用の回路基板、ディスプレイ４に画像を出力するための画像出力用の回路基板、ディスプレイ４の駆動制御を行う制御用の回路基板等が設けられている。これらの回路基板はフレキシブルプリント配線板等の図示しない配線板によってそれぞれディスプレイ４の下端部に配置された図示しない駆動回路部等に接続される。
【００８９】
これらの回路基板は、例えば、前後方向を向く向きで配置されている。従って、配置ケース１８の前後方向における薄型化が図られ、表示装置１の薄型化を図ることができる。
【００９０】
基板配置部１９の側面にはコネクター１９ａ、１９ａ、・・・が設けられている。コネクター１９ａ、１９ａ、・・・は上記した回路基板に接続されており、コネクター１９ａ、１９ａ、・・・には外部から各種のケーブルが接続される。  基板配置部１９には、上面に放熱孔１９ｂ、１９ｂ、・・・が形成され、放熱孔１９ｂ、１９ｂ、・・・の下方に空気取入孔１９ｃ、１９ｃ、・・・が形成されている。
【００９１】
回路基板等の駆動時には、基板配置部１９の内部に空気取入孔１９ｃ、１９ｃ、・・・から冷却空気が取り入れられ、取り入れられた冷却空気は温度が上昇して放熱孔１９ｂ、１９ｂ、・・・から外部へ放出される。従って、回路基板の駆動時における基板配置部１９の内部の温度上昇が抑制される。
【００９２】
スピーカー配置部２０、２０にはそれぞれスピーカーユニット２２、２２が収納されて配置されている。スピーカー配置部２０、２０の下面にはそれぞれ放音孔２０ａ、２０ａ、、・・・が形成され、スピーカーユニット２２、２２から出力された音声がそれぞれ放音孔２０ａ、２０ａ、・・・から出力される。
【００９３】
配置ケース１８における基板配置部１９の左右両側の位置には配置用凹部１８ａ、１８ａが形成されている。配置用凹部１８ａ、１８ａは前方及び下方に開口されている。
【００９４】
配置ケース１８の下端部の左右方向における中央部には下方へ突出された取付部１８ｂが設けられている。
【００９５】
配置ケース１８の下端部には係合片１８ｃ、１８ｃ、・・・が左右に離隔して設けられ、係合片１８ｃ、１８ｃ、・・・は前方へ突出され断面形状がＬ字状に形成されている。
【００９６】
配置ケース１８は係合片１８ｃ、１８ｃ、・・・がそれぞれ下枠部１５の結合面部１５ｄに形成された係合孔１５ｅ、１５ｅ、・・・に挿入されて係合され、リアカバー５の背面における下端部にネジ止め等によって取り付けられる。このとき係合片１８ｃ、１８ｃ、・・・はそれぞれリアカバー５の挿入用切欠５ｄ、５ｄ、・・・に挿入される。
【００９７】
配置ケース１８の取付は、例えば、配置ケース１８のネジ挿通孔を挿通された図示しない取付ネジがリアカバー５の一部を挿通されバックシャーシ３に螺合されることにより行われる。
【００９８】
配置ケース１８が取り付けられた状態においては、配置ケース１８によってリアカバー５の下端部における一部が後方から押さえられる。従って、リアカバー５の下端部における反りや変形が防止される。また、リアカバー５の下端部における一部をネジ止め等によってバックシャーシ３に対して押し付ける必要がなく、表示装置１の組付作業における作業性の向上を図ることができる。
【００９９】
上記のように配置ケース１８が取り付けられた状態において、取付部１８ｂがバックシャーシ３の下方に突出された状態で位置され、取付部１８ｂに通信ボックス２３が取り付けられる（図１参照）。通信ボックス２３には無線通信用の図示しない基板が配置されており、例えば、図示しないリモートコントロール装置と表示装置１の間での信号の送受信が可能とされている。
【０１００】
上記したように、表示装置１にあっては、バックシャーシ３のディスプレイ４側と反対の面側に配置ケース１８が取り付けられ、配置ケース１８に複数の回路基板が収納されているため、表示装置１において配置ケース１８が取り付けられていない部分の薄型化を図ることができる。
【０１０１】
また、配置ケース１８には回路基板の他にスピーカーユニット２２、２２が収納されているため、回路基板を配置するケースとスピーカーユニット２２、２２を配置するケースとを各別に設ける必要がない。従って、配置スペースの効率化による表示装置１の小型化を図ることができると共に部品点数の削減による小型化及び製造コストの低減を図ることができる。
【０１０２】
さらに、配置ケース１８にスピーカーユニット２２、２２が収納されているため、表示装置１において配置ケース１８が取り付けられていない部分の薄型化を図ることができる。
【０１０３】
さらにまた、配置ケース１８がバックシャーシ３の下端部に取り付けられているため、表示装置１の全体の重心が下方側に位置され、表示装置１の安定した設置状態が確保され、振動等の外乱による表示装置１の転倒を防止することができる。
【０１０４】
配置ケース１８の下面にはスタンド２４が取り付けられる（図１乃至図４参照）。スタンド２４は、図２１に示すように、机上等の載置面に載置されるベース部２５とそれぞれ一端部がベース部２５に固定された支持面部２６、２６と支持面部２６、２６の他端部にそれぞれ取り付けられた結合突部２７、２７とを有している。
【０１０５】
ベース部２５は所定の形状に折り曲げられた棒状に形成され、断面形状が、例えば、六角形等の多角形に形成されている。ベース部２５は左右に延びる載置部２５ａと載置部２５ａの左右両端部からそれぞれ後斜め上方へ突出された中間部２５ｂ、２５ｂと中間部２５ｂ、２５ｂの後端から後斜め下方へ突出された連設部２５ｃ、２５ｃとから成る。ベース部２５における載置部２５ａと中間部２５ｂ、２５ｂの連続した部分はそれぞれ受け部２８、２８として設けられている。
【０１０６】
支持面部２６、２６は略上下方向を向く横長の板状に形成され、外側の端部がそれぞれ連設部２５ｃ、２５ｃの前端部に固定されている。
【０１０７】
このように支持面部２６、２６がそれぞれ連設部２５ｃ、２５ｃに固定されるため、上記のように、ベース部２５の断面形状を六角形等の多角形に形成することにより、連設部２５ｃ、２５ｃに平面状の部分が形成され、連設部２５ｃ、２５ｃに対する支持面部２６、２６の十分な接触面積が確保される。従って、支持面部２６、２６の連設部２５ｃ、２５ｃに対する固定状態の安定化を図ることができる。
【０１０８】
尚、ベース部２５は断面形状が多角形に限られることはなく、例えば、円形状、楕円形状、長丸状等の他の形状に形成されていてもよい。
【０１０９】
スタンド２４は結合突部２７、２７がそれぞれ配置ケース１８の配置用凹部１８ａ、１８ａに下方から挿入され、ネジ止め等によって結合される。スタンド２４が結合された状態においては、支持面部２６、２６の内側の端部に配置ケース１８の下面に接した状態とされ装置本体２がスタンド２４によって保持される。
【０１１０】
スタンド２４は載置部２５ａと連設部２５ｃ、２５ｃの後端部とが机上等の載置面に接した状態にされ、装置本体２がスタンド２４を介して机上等に設置される。このときフレーム１２の真下にスタンド２４の受け部２８、２８が位置されて下枠部１５が受け部２８、２８に接した状態にされており、受け部２８、２８によってディスプレイ４、リアカバー５及びフレーム１２の荷重が受けられる（図２２参照）。
【０１１１】
従って、表示装置１を安定した状態で机上等の載置面に載置することが可能であり、表示装置１の安定した設置状態を確保することができる。
【０１１２】
［スタンドの使用例］
以下に、スタンド２４の別の使用例について説明する（図２３及び図２４参照）。
【０１１３】
上記には、机上等の載置面に設置する際にスタンド２４を用いた例を示したが、以下のように、スタンド２４を壁掛け用の取付部材としても用いることが可能である。
【０１１４】
スタンド２４を壁掛け用の取付部材として用いる場合には、スタンド２４の結合突部２７、２７を支持面部２６、２６から取り外して使用する。スタンド２４はベース部２５の載置部２５ａが最も上側に位置される状態で支持面部２６、２６が装置本体２の背面に、例えば、ネジ止め等によって取り付けられる。
【０１１５】
スタンド２４が装置本体２の背面に取り付けられた状態においては、スタンド２４の載置部２５ａが配置ケース１８の後面より後側に位置される。
【０１１６】
壁面１０００にはブラケット２００が取り付けられており、ブラケット２００にスタンド２４の載置部２５ａが取り付けられることにより表示装置１が壁掛け状態にされる。このときスタンド２４の載置部２５ａが配置ケース１８の後面より後側に位置されているため、壁面１０００に配置ケース１８が干渉せず、表示装置１の良好な壁掛け状態を確保することができる。
【０１１７】
上記のように、スタンド２４は装置本体２の下端部に取り付けられて装置本体２を起立させる機能を有し、装置本体２の背面に取り付けられて装置本体２を壁面１０００に沿って設置する機能を有する。
【０１１８】
従って、スタンド２４の装置本体２に対する取付位置を変更することにより、装置本体２を所望の状態に設置することが可能になり、使い勝手の向上を図ることができる。
【０１１９】
［まとめ］
以上に記載した通り、表示装置１にあっては、ディスプレイ４とバックシャーシ３とリアカバー５が設けられ、バックシャーシ３に厚み方向において貫通された抜き孔３ａ、３ａ、・・・が形成され、バックシャーシ３に第１の補強部６、第２の補強部７、８、９、９及び第３の補強部１０、１１、１１が設けられている。
【０１２０】
従って、バックシャーシ３やリアカバー５の厚みを薄くしてもバックシャーシ３に設けられた第１の補強部６、第２の補強部７、８、９、９及び第３の補強部１０、１１によって高い剛性を確保することができ、また、バックシャーシ３の抜き孔３ａ、３ａ、・・・によって軽量化が図られるため、薄型化を確保した上で軽量化及び高剛性化を図ることができる。
【０１２１】
［本技術］
本技術は、以下のような構成にすることもできる。
【０１２２】
（１）表示面に画像が表示されるディスプレイと、前記ディスプレイにおける表示面の反対の面側に配置されるバックシャーシと、前記バックシャーシの前記ディスプレイ側と反対の面側に配置されるリアカバーとを備え、前記バックシャーシに厚み方向において貫通された抜き孔が形成され、前記バックシャーシに補強部が設けられた表示装置。
【０１２３】
（２）前記リアカバーの前記バックシャーシ側と反対の面側に配置ケースが取り付けられ、前記配置ケースに回路基板が収納された前記（１）に記載の表示装置。
【０１２４】
（３）前記配置ケースにスピーカーユニットが収納された前記（２）に記載の表示装置。
【０１２５】
（４）前記配置ケースが前記リアカバーの下端部に取り付けられた前記（２）又は前記（３）に記載の表示装置。
【０１２６】
（５）前記ディスプレイの外周部と前記バックシャーシの外周部にフレームが取り付けられ、前記フレームに、前記ディスプレイの外周部を押さえる第１の押さえ面部と、前記バックシャーシの外周部を押さえ前記第１の押さえ面部に対向する第２の押さえ面部と、前記第１の押さえ面部と前記第２の押さえ面部とを連結し前記ディスプレイの外周面と前記バックシャーシの外周面とに対向する連結面部とが設けられた前記（１）から前記（４）の何れかに記載の表示装置。
【０１２７】
（６）前記フレームに前記リアカバーの外周部を保持する保持面部が設けられた前記（５）に記載の表示装置。
【０１２８】
（７）前記補強部が絞り加工によって形成された前記（１）から前記（６）の何れかに記載の表示装置。
【０１２９】
（８）前記リアカバーが真空成形によって形成された前記（１）から前記（７）の何れかに記載の表示装置。
【０１３０】
（９）前記ディスプレイと前記バックシャーシと前記リアカバーとを有する装置本体が設けられ、受け部を有し前記装置本体に取り付けられて前記装置本体を支えるスタンドが設けられ、前記スタンドが前記装置本体に取り付けられた状態において前記受け部が前記ディスプレイと前記バックシャーシの真下に位置されて前記ディスプレイと前記バックシャーシの荷重が前記受部で受けられるようにした前記（１）から前記（８）の何れかに記載の表示装置。
【０１３１】
（１０）前記ディスプレイと前記バックシャーシと前記リアカバーとを有する装置本体が設けられ、前記装置本体に取り付けられて前記装置本体を支えるスタンドが設けられ、前記スタンドが前記装置本体の下端部に取り付けられて前記装置本体を起立させる機能を有すると共に前記スタンドが前記装置本体の背面に取り付けられて前記装置本体を壁面に沿って設置する機能を有するようにした前記（１）から前記（８）の何れかに記載の表示装置。
【０１３２】
上記した技術を実施するための最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１３３】
【図１】図２乃至図２４と共に本技術表示装置を示すものであり、本図は、表示装置の斜視図である。
【図２】図１とは反対側から見た状態で示す表示装置の斜視図である。
【図３】表示装置の分解斜視図である。
【図４】図３とは反対側から見た状態で示す表示装置の分解斜視図である。
【図５】バックシャーシの斜視図である。
【図６】図５とは反対側から見た状態で示すバックシャーシの斜視図である。
【図７】リアカバーの斜視図である。
【図８】図７とは反対側から見た状態で示すリアカバーの斜視図である。
【図９】バックシャーシの概略背面図である。
【図１０】ディスプレイとバックシャーシとフレームを示す分解斜視図である。
【図１１】図１０とは反対側から見た状態でディスプレイとバックシャーシとフレームを示す分解斜視図である。
【図１２】フレームがバックシャーシとディスプレイの外周部に取り付けられた状態を示す斜視図である。
【図１３】フレームの枠部を示す概略拡大断面図である。
【図１４】フレームの下枠部の一部を示す拡大斜視図である。
【図１５】フレームの上枠部と側枠部が結合された状態を示す拡大背面図である。
【図１６】フレームの下枠部と側枠部が結合されバックシャーシと下枠部が結合された状態を示す拡大斜視図である。
【図１７】リアカバーの外周部がフレームに保持された状態を示す拡大斜視図である。
【図１８】リアカバーが段付ネジによってバックシャーシに押し付けられた状態を示す概略断面図である。
【図１９】配置ケースと配置ケースの内部に収納された各部と下枠部を示す斜視図である。
【図２０】図１９とは反対側から見た状態で示す配置ケースの斜視図である。
【図２１】スタンドの斜視図である。
【図２２】スタンドが装置本体に取り付けられた状態を示す拡大側面図である。
【図２３】スタンドが壁掛け用の取付部材として用いられた例を示す斜視図である。
【図２４】スタンドが壁掛け用の取付部材として用いられた例を示す側面図である。
【符号の説明】
【０１３４】
１…表示装置、２…装置本体、３…バックシャーシ、３ａ…抜き孔、４…ディスプレイ、４ａ…表示面、５…リアカバー、６…第１の補強部、７…第２の補強部、８…第２の補強部、９…第２の補強部、１０…第３の補強部、１１…第３の補強部、１２…フレーム、１３ａ…連結面部、１３ｂ…第１の押さえ面部、１３ｃ…第２の押さえ面部、１３ｄ…保持面部、１４ａ…連結面部、１４ｂ…第１の押さえ面部、１４ｃ…第２の押さえ面部、１４ｄ…保持面部、１５ａ…連結面部、１５ｂ…第１の押さえ面部、１５ｃ…第２の押さえ面部、１８…配置ケース、２２…スピーカーユニット、２４…スタンド、２８…受け部
【図１】
0005928111.tif 000002
【図２】
0005928111.tif 000003
【図３】
0005928111.tif 000004
【図４】
0005928111.tif 000005
【図５】
0005928111.tif 000006
【図６】
0005928111.tif 000007
【図７】
0005928111.tif 000008
【図８】
0005928111.tif 000009
【図９】
0005928111.tif 000010
【図１０】
0005928111.tif 000011
【図１１】
0005928111.tif 000012
【図１２】
0005928111.tif 000013
【図１３】
0005928111.tif 000014
【図１４】
0005928111.tif 000015
【図１５】
0005928111.tif 000016
【図１６】
0005928111.tif 000017
【図１７】
0005928111.tif 000018
【図１８】
0005928111.tif 000019
【図１９】
0005928111.tif 000020
【図２０】
0005928111.tif 000021
【図２１】
0005928111.tif 000022
【図２２】
0005928111.tif 000023
【図２３】
0005928111.tif 000024
【図２４】
0005928111.tif 000025